(57)【要約】【課題】被操縦体の遠隔操縦で両手が塞がっていても操作することが可能なラジオコントロール送信機を提供する。【解決手段】トリガータイプの送信機１Ａは、被操縦体を遠隔操作するときに操縦者が把持するグリップ部２と、グリップ部２の一端側に設けられるベース部３と、グリップ部２の他端側に設けられ、被操縦体の進行方向を制御するためのホイール２１と被操縦体の移動速度を制御するためのトリガー２２とを有するヘッド部４とを備え、ホイール２１トトリガー２２の操作に応じた操縦信号を被操縦体に送信するものであり、ホイール２１とトリガー２２を操作する両手以外で押下可能なスイッチ機構１１をベース部３の外周部に設ける。【選択図】図４
2015213660.tif 000002
【特許請求の範囲】
【請求項１】
被操縦体を遠隔操作するときに操縦者が把持するグリップ部と、該グリップ部の一端側に設けられるベース部と、前記グリップ部の他端側に設けられ、前記被操縦体を制御するための第一の操作部材と第二の操作部材とを有するヘッド部とを備え、前記第一の操作部材と前記第二の操作部材の操作に応じた操縦信号を前記被操縦体に送信するラジオコントロール送信機において、
前記第一の操作部材と前記第二の操作部材を操作する両手以外で押下可能なスイッチ機構が前記ベース部の外周部に設けられたことを特徴とするラジオコントロール送信機。
【請求項２】
被操縦体を制御するための第一の操作部材と第二の操作部材とが並設して筐体に設けられ、前記第一の操作部材と前記第二の操作部材の操作に応じた操縦信号を前記被操縦体に送信するラジオコントロール送信機において、
前記第一の操作部材と前記第二の操作部材を操作する両手以外で押下可能なスイッチ機構が前記筐体の外周部に設けられたことを特徴とするラジオコントロール送信機。
【請求項３】
前記スイッチ機構は、前記操作部材を操作する操縦者と対面する側に設けられたことを特徴とする請求項１または２に記載のラジオコントロール送信機。
【発明の詳細な説明】
【技術分野】
【０００１】
本発明は、例えば各種模型体（自動車、オートバイ、航空機、船舶など）や、クレーンなどの産業機械を被操縦体とし、無線通信により被操縦体を遠隔操作するラジオコントロール送信機に関するものである。
【背景技術】
【０００２】
例えば各種模型体（自動車、オートバイ、航空機、船舶など）や、クレーンなどの産業機械を被操縦体とし、無線通信により被操縦体を遠隔操作するラジオコントロール送信機には、操縦される被操縦体の種類に応じて様々な形状のものが存在する。
【０００３】
この種のラジオコントロール送信機は、その形状の違いから、スティックタイプとトリガータイプに大別される。スティックタイプのラジオコントロール送信機は、上下方向と左右方向に操作される２本のスティックを筐体の左右に並べて設け、模型自動車、模型飛行機、模型ヘリコプタ、模型船、産業機械などの被操縦体の操作に使用される。また、トリガータイプのラジオコントロール送信機は、エンジン又はモーターのスロットルを操作するトリガーと被操縦体のステアリングを制御するホイールとを備え、主に模型自動車の操作に使用される。
【０００４】
ところで、近年におけるラジオコントロール送信機は、多チャンネル化が進んでおり、被操縦体をより実物に近い状態で操縦するため、スティックやトリガーとは別に、各種機能を実現するための複数のスイッチが設けられている。
【０００５】
この種の複数のスイッチを設けたラジオコントロール送信機としては、例えば下記特許文献１や特許文献２に開示されるものが知られている。これら特許文献１や特許文献２に開示されるラジオコントロール送信機は、各種機能を実現するための複数のスイッチがグリップ部の上部に設けられている。
【０００６】
なお、特許文献２では、アクセル操作用スイッチとブレーキ操作用スイッチとを別体に構成してグリップ部に設け、各スイッチを自由に独立して操作できるようにしている。
【先行技術文献】
【特許文献】
【０００７】
【特許文献１】意匠登録第１３３４２１４号公報
【特許文献２】特開２０１１−１１０１９１号公報
【発明の概要】
【発明が解決しようとする課題】
【０００８】
しかしながら、上述した従来の特許文献１や特許文献２に開示される各種スイッチは、グリップ部を握る手の指の届く範囲に設けられており、どのスイッチも操縦に使っている左右の手や指を一瞬移動して操作しなければならなかった。言い換えれば、従来のどのラジオコンロール送信機も手や指で操作するスイッチしか装備していなかった。
【０００９】
このため、操縦者はスイッチの操作に気を取られてしまい、集中した状態でスティックやトリガーの操作を行うことができず、操縦ミスも増えるという問題があった。また、スイッチを押す際には、グリップ部を把持した状態で操作するため、グリップ部を強く握り込まなければスイッチをオンすることができなかった。しかも、スイッチをオンさせるために力が入りすぎると、操縦時における送信機のバランスも悪くなり、安定した姿勢で操縦を行うことができなかった。さらに、操縦に使っている手や指を素早く移動して操作しなければならないので、咄嗟にスイッチを押すことが困難であった。
【００１０】
そこで、本発明は上記問題点に鑑みてなされたものであり、被操縦体の遠隔操縦で両手が塞がっていても操作することが可能なラジオコントロール送信機を提供することを目的とするものである。
【課題を解決するための手段】
【００１１】
上記した目的を達成するために、請求項１に記載されたラジオコントロール送信機は、被操縦体を遠隔操作するときに操縦者が把持するグリップ部と、該グリップ部の一端側に設けられるベース部と、前記グリップ部の他端側に設けられ、前記被操縦体を制御するための第一の操作部材と第二の操作部材とを有するヘッド部とを備え、前記第一の操作部材と前記第二の操作部材の操作に応じた操縦信号を前記被操縦体に送信するラジオコントロール送信機において、
前記第一の操作部材と前記第二の操作部材を操作する両手以外で押下可能なスイッチ機構が前記ベース部の外周部に設けられたことを特徴とする。
【００１２】
請求項２に記載されたラジオコントロール送信機は、被操縦体を制御するための第一の操作部材と第二の操作部材とが並設して筐体に設けられ、前記第一の操作部材と前記第二の操作部材の操作に応じた操縦信号を前記被操縦体に送信するラジオコントロール送信機において、
前記第一の操作部材と前記第二の操作部材を操作する両手以外で押下可能なスイッチ機構が前記筐体の外周部に設けられたことを特徴とする。
【００１３】
請求項３に記載されたラジオコントロール送信機は、請求項１または２に記載のラジオコントロール送信機において、
前記スイッチ機構は、前記操作部材を操作する操縦者と対面する側に設けられたことを特徴とする。
【発明の効果】
【００１４】
本発明によれば、被操縦体を遠隔操作して両手が塞がっている状態であっても、両手以外でスイッチ機構を押下し、スイッチ機構のスイッチに割り当てられた機能を働かせることができる。その際、両手を離さず被操縦体の遠隔操作が行えるので、被操縦体の遠隔操作に集中することできる。また、送信機のスイッチ機構が位置する部分に機構や回路が内蔵されるので、その部分の重量が若干重くなり、送信機を操作するときのバランスが向上する。
【００１５】
操作部材を操作する操縦者と対面する側にスイッチ機構を設ければ、被操縦体を遠隔操作する両手以外の身体の一部を使って咄嗟のスイッチ機構の押下にも対応することができる。
【００１６】
操縦者が両手で遠隔操作している最中に並行して操作したい機能をスイッチ機構のスイッチに割り当てておけば、緊急事態の際に咄嗟の判断でスイッチ機構を瞬時に操作し、スイッチに割り当てた機能を即座にオン・オフさせることができる。
【図面の簡単な説明】
【００１７】
【図１】本発明に係るラジオコントロール送信機の全体構成を示す側面図である。
【図２】本発明に係るラジオコントロール送信機の全体構成を示す斜視図である。
【図３】本発明に係るラジオコントロール送信機のヘッド部とベース部の構成を模式的に示すブロック図である。
【図４】（ａ），（ｂ）本発明に係るラジオコントロール送信機の要部であるスイッチ機構の部分側断面図であり、オフ状態とオン状態を示す図である。
【図５】図４のスイッチ機構の部分拡大概略平面図である。
【図６】図４のスイッチ機構が採用されるラジオコントロール送信機の他の形態を示す平面図である。
【発明を実施するための形態】
【００１８】
以下、本発明を実施するための形態について、添付した図面を参照しながら詳細に説明する。
【００１９】
本発明に係るラジオコントロール送信機（以下、送信機という）は、例えば各種模型体（自動車、オートバイ、航空機、船舶など）や、クレーンなどの産業機械を被操縦体とし、予め決められた周波数帯（例えば２．４ＧＨｚ帯）を使用し、その周波数帯の中から空きバンドを自動的に選択する周波数ホッピング方式によって送信周波数を決定し、筐体に設けられるトリガーやスティックなどの操作部材の操作に応じた操縦信号（無線電波）を被操縦体に送信することにより被操縦体を遠隔操作するものである。
【００２０】
なお、以下の説明では、送信機をトリガータイプとし、遠隔操作される被操縦体が模型自動車の場合を例にとって説明する。また、被操縦体の動力源としては、エンジンを用いることを想定して説明するが、モーターを動力源として用いることもできる。
【００２１】
［１．送信機の構成について］
トリガータイプの送信機１Ａは、図１および図２に示すように、グリップ部２、ベース部３、ヘッド部４を備えて大略構成され、各部の筐体は可撓性を有する熱可塑性樹脂（例えば汎用プラスチック）で形成されている。
【００２２】
＜１−１．グリップ部について＞
グリップ部２は、一端（下端）側がベース部３と一体をなし、他端（上端）側がヘッド部４と一体をなしており、外形がベース部３側からヘッド部４側に向かって細く楕円柱状に形成される。グリップ部２は、被操縦体を遠隔操作するときに操縦者が把持する把持部として機能する。
【００２３】
＜１−２．ベース部について＞
ベース部３は、グリップ部２の一端（下端）側に設けられ、矩形状に形成される。ベース部３は、グリップ部２を把持する手の下限位置を規制して手がグリップ部２から抜け落ちるのを防ぐとともに、トリガータイプの送信機１Ａを使用していないときに例えば地面などに立てて置く際の所定の設置面積を底面に有する脚部としても機能する。
【００２４】
また、ベース部３には、本発明の要部であるスイッチ機構１１が設けられている。このスイッチ機構１１の構成および作用に関しては追って説明する。
【００２５】
＜１−３．ヘッド部について＞
ヘッド部４は、グリップ部２の他端（上端）側に設けられ、第一操作部材としてのホイール２１と、第二操作部材としてのトリガー２２とを備えている。
【００２６】
ホイール２１は、被操縦体の進行方向を制御するためのステアリングとしての操作部材である。ホイール２１は、図１および図２に示すように、略円板形状の面の中心と軸心を一致させて、略円板状の面と垂直にトリガータイプの送信機１Ａのヘッド部４の方向に延在する回転軸によって支持される。ホイール２１は、所定の基準位置から左および右回りに回動して被操縦体の進行方向を制御するためのステアリングとして操作される。
【００２７】
トリガー２２は、被操縦体の動力源を制御し、被操縦体の移動速度を制御するための操作部材である。トリガー２２は、引き金形状をなし、第一のレバーとしてのスロットルレバー２２ａと、第二のレバーとしてのブレーキレバー２２ｂとから構成される。
【００２８】
トリガー２２は、図１に示すように、グリップ部２の上端部分に近接してヘッド部４の裏側に軸支されており、初期位置からヘッド部４に当接する位置まで図１の矢印Ａおよび矢印Ｂの方向に回動可能に取り付けられる。
【００２９】
トリガー２２は、一般的にグリップ部２を把持した手の人指し指をスロットルレバー２２ａにかけて矢印Ａの方向に引いて操作され、ブレーキレバー２２ｂをスロットルレバー２２ａにかけた指の背で押して矢印Ｂの方向に操作される。
【００３０】
トリガー２２は、スロットルレバー２２ａにかけている指を離すと予め設定している初期位置に自動復帰するようになっている。この初期位置のことをニュートラル位置という。ニュートラル位置では、被操縦体のエンジンは回転しているが、クラッチが切れており、被操縦体は走行しない状態となっている。
【００３１】
なお、被操縦体の動力源がモーターである場合は、ニュートラル位置ではモーターは回転していない。
【００３２】
トリガー２２のスロットルレバー２２ａを図１の矢印Ａの方向に引くことで被操縦体のエンジンのスロットルの制御を行い、被操縦体の移動速度を制御する。トリガー２２のスロットルレバー２２ａを矢印Ａの方向に操作するほど被操縦体は加速する。
【００３３】
また、トリガー２２のブレーキレバー２２ｂを図１の矢印Ｂの方向に操作することでブレーキの制御を行うようにすることができる。そして、トリガー２２のブレーキレバー２２ｂを矢印Ｂの方向に操作するほど強力なブレーキとなる。
【００３４】
なお、トリガータイプの送信機１Ａの設定によっては、トリガー２２のブレーキレバー２２ｂを図１の矢印Ｂの方向に操作すると被操縦体を後進させるものもある。また、被操縦体の動力にモーターを用いた場合も、トリガー２２のスロットルレバー２２ａを図１の矢印Ａの方向に操作すると被操縦体を加速させることができる。
【００３５】
さらに、トリガータイプの送信機１Ａには、ホイール２１とトリガー２２以外にも多数のボタンなどの操作部材が設けられている。これらの操作部材には、被操縦体の動作に関わる特殊な操作を割り当てることができる。
【００３６】
また、ヘッド部４には、表示部２３とアンテナ２４が設けられている。表示部２３は、操縦者がグリップ部２を把持したときに、操縦者が表示画面を見やすいように所定角度傾斜して設けられる。表示部２３は、トリガータイプの送信機１Ａの設定を表示するディスプレイであり、表示部２３の周辺に設けられる操作ボタンやスライドスイッチなどの設定用操作部材２５の操作により、表示の内容を切り替えたり、トリガータイプの送信機１Ａの設定を変更している。
【００３７】
アンテナ２４は、操縦者がグリップ部２を把持した状態で表示部２３の反対側に位置するヘッド部４の一端部分（すなわち、操縦者がグリップ部２を把持した状態におけるヘッド部４の当該操縦者と対向する側の端部と反対側に位置する端部）に回転自在に軸支されている。アンテナ２４は、被操縦体を遠隔操作するときに、ヘッド部４と一体に外形を形成する水平状態（図２の実線）から９０°回転して垂直方向に向いた起立状態（図２の一点鎖線）で使用される。アンテナ２４は、起立状態で使用することにより、被操縦体の遠隔操作時における指向性を高めることができる。
【００３８】
＜１−４．電気的構成について＞
さらに、ヘッド部４には、図３に示すように、上述した表示部２３、送信部２６、記憶部２７、制御部２８を含む電子回路部が内蔵されている。
【００３９】
なお、ベース部３には、電子回路部の各部（表示部２３、送信部２６、記憶部２７、制御部２８）に必要な駆動電力を供給するためのバッテリ２９が交換可能に設けられる。
【００４０】
送信部２６は、制御部２８により生成された送信データを変調・増幅し、この変調・増幅した操縦信号を、制御部２８の制御により、アンテナ２４を介して被操縦体に送信している。
【００４１】
記憶部２７は、設定用操作部材２５の操作に基づく各種設定情報を、制御部２８の制御により記憶している。また、記憶部２７には、トリガータイプの送信機１Ａを構成する各部の駆動制御を行うための制御プログラムが記憶されている。
【００４２】
制御部２８は、表示部２３、送信部２６、記憶部２７を統括制御しており、ホイール２１やトリガー２２の操作や設定に応じた送信データの生成、表示部２３の表示制御、送信部２６からアンテナ２４を介しての操縦信号の出力制御、記憶部２７に対する設定情報の保存、記憶部２７に記憶される制御プログラムに基づくトリガータイプの送信機１Ａの各部の駆動制御などを行っている。
【００４３】
このように構成されるトリガータイプの送信機１Ａでは、操縦者が一方の手でグリップ部２を把持し、グリップ部２を把持した手の人指し指をトリガー２２にかけてトリガー２２の操作を行い、他方の手でホイール２１を掴んで操作を行う。そして、このトリガー２２とホイール２１の操作に応じた操縦信号を被操縦体に送信して被操縦体を遠隔操作する。
【００４４】
［２．スイッチ機構の構成について］
次に、本発明の要部であるスイッチ機構１１について図４（ａ），（ｂ）および図５を参照しながら説明する。
【００４５】
スイッチ機構１１は、被操縦体を遠隔操作している時に、ホイール２１とトリガー２２を操作する両手以外（例えば、身体の一部（胸、腹、肩、股、膝など）や近辺の物（競技場の手摺りなど）でオン・オフ操作されるものである。
【００４６】
スイッチ機構１１は、図４（ａ），（ｂ）に示すように、ベース部３に内蔵されるスイッチ１１ａと、外部からの押圧力により矢印Ｇの方向に回動してスイッチ１１ａの接点を開閉してオン・オフ切り替えするための作動部材１１ｂとから構成される。
【００４７】
スイッチ１１ａは、外部からの押圧力により作動部材１１ｂが図４や図５の矢印Ｇの方向に回動して接点が閉じてオンしたときに、接点信号を制御部２８に出力している。スイッチ１１ａには、スイッチ１１ａからの接点信号の入力を受けて制御部２８が実行する任意の機能として、例えばターボ機能のオン・オフ、ミキシング、ジャイロ操作、ラップ計測、急ブレーキ、カメラなどの機能が設定用操作部材２５の設定により予め割り当てておくことができる。
【００４８】
作動部材１１ｂは、図４（ａ），（ｂ）に示すように、断面略コ字状の部材からなり、幅方向（紙面の奥行き方向）の上部両端角部分に突出して形成された回動軸１１ｂａを有している。回動軸１１ｂａは、図４や図５の矢印Ｇの方向に回動可能にベース部３の内側面に軸支されている。作動部材１１ｂにおけるスイッチ１１ａを押圧する内側面１１ｂｂは、図５の点線で示すように、スイッチ１１ａと対向する中央部分を頂点とし、この中央部分から両端部分に向かって対称形状に所定の曲率を有している。これにより、作動部材１１ｂの外周面のどの位置をどの角度から押圧しても内側面１１ｂｂがスイッチ１１ａの中心を押圧し、スイッチ機構１１に備えるスイッチ１１ａの接点を閉じてスイッチ１１ａがオンすることでスイッチ１１ａに割り当てられた機能が働く。
【００４９】
なお、図示はしないが、スイッチ機構１１には、作動部材１１ｂの外周面への押圧が解除されたときに、作動部材１１ｂを元の位置（図４（ａ）の状態）に復帰させてスイッチ１１ａをオフするためのスプリングやバネなどの付勢手段が設けられている。
【００５０】
上記のように構成されるスイッチ機構１１は、被操縦体を遠隔操作している時に、トリガータイプの送信機１Ａのトリガー２２を操作する操縦者と対面するベース部３の外周部に設けることができる。これにより、操縦者は、被操縦体の遠隔操作時の両手が塞がっている状態であっても、トリガータイプの送信機１Ａの筐体を身体の一部（例えば、胸、腹、肩、股、膝など）にトリガータイプの送信機１Ａを引き寄せたり、近辺の物（例えば、競技場の手摺りなど）にトリガータイプの送信機１Ａを押し付けて、作動部材１１ｂを押圧すれば、この押圧力により作動部材１１ｂが回動してスイッチ１１ａの中央を押圧し、スイッチ機構１１に備えるスイッチ１１ａの接点が閉じてスイッチ１１ａをオンし、スイッチ１１ａに割り当てられた機能を働かせることができる。
【００５１】
なお、スイッチ機構１１を設ける位置は、被操縦体を遠隔操作する操縦者と対面するベース部３の外周部に限定されるものではなく、ベース部３の外周部であれば任意の位置に設けることができる。また、図４及び図５の例では、１つのスイッチ機構１１をベース部３の外周部に設けた構成としているが、複数のスイッチ機構１１をベース部３の外周部に設けることもできる。その際、各スイッチ機構１１のスイッチ１１ａに任意の機能を割り当てることができる。
【００５２】
そして、上述したスイッチ機構１１を備えたトリガータイプの送信機１Ａを用いて被操縦体を遠隔操作する場合には、一方の手でトリガー２２を操作し、他方の手でホイール２１を操作して両手が塞がっている状態であっても、ホイール２１とトリガー２２を操作する両手以外の身体の一部（例えば、胸、腹、肩、股、膝など）にトリガータイプの送信機１Ａを引き寄せたり、近辺の物（例えば、競技場の手摺りなど）にトリガータイプの送信機１Ａを押し付ければ、作動部材１１ｂが押圧され、その押圧力により作動部材１１ｂが回動してスイッチ１１ａの中央を押圧し、スイッチ機構１１に備えるスイッチ１１ａの接点が閉じてスイッチ１１ａをオンし、スイッチ１１ａに割り当てられた機能を働かせることができる。
【００５３】
ところで、図４及び図５では、スイッチ機構１１をトリガータイプの送信機１Ａに採用した場合を例にとって説明したが、スイッチ機構１１をスティックタイプの送信機に採用することもできる。図６はスイッチ機構１１をスティックタイプの送信機１Ｂに採用した場合の送信機の平面図である。
【００５４】
なお、以下の説明では、送信機をスティックタイプとし、遠隔操作される被操縦体が模型自動車の場合を例にとって説明する。また、被操縦体の動力源としては、エンジンを用いることを想定して説明するが、モーターを動力源として用いることもできる。
【００５５】
図６のスティックタイプの送信機１Ｂは、図１に示すトリガータイプの送信機１Ａのホイール２１、トリガー２２に代えて、２本のスティック３１，３２を操作部材として備えている。一方のスティック３１は、被操縦体の進行方向を制御するためのステアリングとしての操作部材であり、矢印Ｃおよび矢印Ｄの方向に操作できる。また、他方のスティック３２は、被操縦体の移動速度を制御するための操作部材であり、矢印Ｅおよび矢印Ｆの方向に操作できる。
【００５６】
なお、一方のスティック３１を上下方向（図６の矢印Ｅおよび矢印Ｆの方向）に動かすことで被操縦体の右車輪を制御し、他方のスティック３２を上下方向（図６の矢印Ｅおよび矢印Ｆの方向）に動かすことで被操縦体の左車輪を制御し、被操縦体の移動速度と進行方向を制御する構成としてもよい。
【００５７】
さらに、被操縦体が模型飛行機や模型ヘリコプタである場合には、図６のスティックタイプの送信機１Ｂが空用送信機として用いられ、両方のスティック３１，３２を上下左右方向（図６の矢印Ｅおよび矢印Ｆの方向、矢印Ｃおよび矢印Ｄの方向）に動かすことができ、被操縦体の移動速度と進行方向を制御することができる。
【００５８】
このスティックタイプの送信機１Ｂでは、筐体の下端角部分の２箇所にそれぞれスイッチ機構１１，１１が設けられている。これらスイッチ機構１１，１１のスイッチ１１ａ，１１ａには、任意の機能を割り当てることができる。
【００５９】
そして、上述したスイッチ機構１１を備えたスティックタイプの送信機１Ｂを用いて被操縦体を遠隔操作する場合には、スティック３１とスティック３２を両手で操作して塞がっている状態であっても、スティック３１，３２を操作する両手以外の身体の一部（例えば、胸、腹、肩、股、膝など）にスティックタイプの送信機１Ｂを引き寄せたり、近辺の物（例えば、競技場の手摺りなど）にスティックタイプの送信機１Ｂを押し付ければ、スイッチ機構１１に備えるスイッチ１１ａの接点を閉じてスイッチ１１ａをオンさせることによりスイッチ１１ａに割り当てられた機能を働かせることができる。
【００６０】
なお、図６のスティックタイプの送信機１Ｂでは、筐体の下端角部分の２箇所にそれぞれスイッチ機構１１が設けられた構成としたが、これに限定されるものではない。すなわち、スイッチ機構１１は、筐体の外周部に設けられるものであり、例えば、下端角部分の一方のみに設けたり、筐体の操作面側の下端縁部分に設けたりすることができる。
【００６１】
ところで、上述したトリガータイプの送信機１Ａでは、１つのスイッチ機構１１をベース部３の外周部に設けた構成を図示（図４や図５）して説明した。また、上述したスティックタイプの送信機１Ｂでは、２つのスイッチ機構１１を筐体の外周部に設けた構成を図示して説明したが、これに限定されるものではない。すなわち、トリガータイプの送信機１Ａのベース部３の外周部に２つ以上のスイッチ機構１１を設けたり、スティックタイプの送信機１Ｂの筐体の外周部に３つ以上のスイッチ機構１１を設ける構成とし、スイッチ機構１１のスイッチ１１ａ毎に異なる機能を割り当てることもできる。さらに、スティックタイプの送信機１Ｂの筐体の外周部に１つのスイッチ機構１１を設け、スイッチ機構１１のスイッチ１１ａに機能を割り当てるようにしてもよい。
【００６２】
このように、本例のトリガータイプの送信機１Ａとスティックタイプの送信機１Ｂでは、被操縦体を両手を使用して遠隔操作している状態において、この操作部材（ホイール２１とトリガー２２、又は２本のスティック３１，３２）を操作する両手の指が届かない位置、すなわち、ベース部３や筐体の外周部にスイッチ機構１１が設けられている。そして、被操縦体の遠隔操作時の両手が塞がっている状態においてスイッチ機構１１をオンする場合には、両手が塞がった状態のままトリガータイプの送信機１Ａのベース部３やスティックタイプの送信機１Ｂの筐体を身体の一部（例えば、胸、腹、肩、股、膝など）にトリガータイプの送信機１Ａを引き寄せたり、近辺の物（例えば、競技場の手摺りなど）に押し付けたりしてスイッチ機構１１に備えるスイッチ１１ａの接点を閉じてスイッチ１１ａをオンすることでスイッチ１１ａに割り当てられた機能を働かせる。
【００６３】
これにより、複数のチャンネルやファンクションスイッチが採用される多チャンネルのトリガータイプやスティックタイプの送信機において、そのスイッチ機能の１つとして、操作部材（ホイール２１とトリガー２２、又は２本のスティック３１，３２）を操作する両手以外で押せるスイッチ機構１１を採用することにより、操縦者は操作部材の操作に神経を集中しつつ、身体の一部にトリガータイプやスティックタイプの送信機１Ａ，１Ｂを引き寄せたり、近辺の物にトリガータイプやスティックタイプの送信機１Ａ，１Ｂに押し付けるだけで簡単にスイッチ機構１１のスイッチ１１ａをオン・オフすることができる。特に、操作部材（ホイール２１とトリガー２２、又は２本のスティック３１，３２）を操作する操縦者と対面する側のベース部３や筐体の外周部にスイッチ機構１１を設ければ、被操縦体を遠隔操作する両手以外の身体の一部を使って咄嗟のスイッチ機構１１の押下にも対応でき、スイッチ１１ａに割り当てられた機能を即座に働かせることができる。しかも、両手を離さず被操縦体の遠隔操作が行えるので、被操縦体の操縦（走り）に集中することできる。また、スイッチ機構１１は、作動部材１１ｂがベース部３や筐体の外周部に大きな押圧面を有して設けられるので、スイッチ１１ａを確実にオン・オフさせることができる。
【００６４】
また、操縦者が両手を使って被操縦体を遠隔操作している最中に並行して操作したい機能をスイッチ機構１１のスイッチ１１ａに割り当てておけば、緊急事態の際に咄嗟の判断でスイッチ機構１１を瞬時に操作し、スイッチ１１ａに割り当てた機能を即座にオン・オフさせることができる。
【００６５】
さらに、トリガータイプやスティックタイプの送信機１Ａ，１Ｂのスイッチ機構１１が位置する部分（グリップ部２を把持する手元部分、筐体を把持する手元部分）に機構や回路が内蔵されるので、その部分の重量が若干重くなり、トリガータイプやスティックタイプの送信機１Ａ，１Ｂを操作するときのバランスが向上する。
【００６６】
ところで、上述した実施の形態において、トリガータイプの送信機１Ａにおけるトリガー２２の形状を図示以外の形状としてもよい。例えば図１に示すトリガー２２のスロットルレバー２２ａとブレーキレバー２２ｂの先端が繋がったリング状の形状とし、矢印Ａ、矢印Ｂの方向に操作できるようにしてもよい。
【００６７】
以上、本発明に係る送信機の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００６８】
１Ａ  トリガータイプの送信機（ラジオコントロール送信機）
１Ｂ  スティックタイプの送信機（ラジオコントロール送信機）
２  グリップ部
３  ベース部
４  ヘッド部
１１  スイッチ機構
１１ａ  スイッチ
１１ｂ  作動部材
１１ｂａ  回動軸
２１  ホイール（第一の操作部材）
２２  トリガー（第二の操作部材）
３１，３２  スティック（操作部材）
【図１】
2015213660.tif 000003
【図２】
2015213660.tif 000004
【図３】
2015213660.tif 000005
【図４】
2015213660.tif 000006
【図５】
2015213660.tif 000007
【図６】
2015213660.tif 000008